(57)【特許請求の範囲】
【請求項１】
複数の受信端末と、受信端末に放送データを送出する送出サーバとから構成されるオンデマンド放送システムにおいて、
前記送出サーバは、
同一の放送データを、再生開始のタイミングに差を持たせて複数同時に再生するメインサーバと、
受信端末からアクセスがあったとき、アクセスタイミングに最も近い時間の放送データを選択する選択手段と、
受信端末のアクセスタイミングと、最も近い時間の放送データの再生開始のタイミングとの時間差を埋めるために、放送データを時間的に短縮または伸張した調相データを送出し、調相データと最も近い時間の放送データとの位相が一致したとき、最も近い時間の放送データを選択する送出制御手段とを有することを特徴とするオンデマンド放送システム。
【請求項２】
前記放送データは、映像および音声データから成ることを特徴とする請求項１記載のオンデマンド放送システム。
【請求項３】
前記送出サーバは、最初に表示する静止画を記憶し、
前記送出制御手段は、調相データの送出のタイミングと、受信端末のアクセスタイミングとの差を埋めるために、調相データを送出する前に、前記静止画を送出することを特徴とする請求項２記載のオンデマンド放送システム。
【請求項４】
前記受信端末は、調相データを用いた放送データを受信するか、調相データを用いない放送データを受信するかを選択できる受信データ選択手段を有することを特徴とする請求項１〜３のいずれか１つに記載のオンデマンド放送システム。
【請求項５】
同一の放送データを、再生開始のタイミングに差を持たせて複数同時に再生する送出サーバと、送出サーバにアクセスして放送データを受信する複数の受信端末とから構成されるオンデマンド放送システムの受信端末において、
放送データを視聴者に対して出力する出力手段と、
放送データを受信する受信手段と、
視聴者の操作によって、一時中断、および再開を指示する指示手段と、
前記指示手段から一時中断指示があったとき、受信する放送を記録し、再開指示があったとき、受信する放送データを選択するとともに、記録していた放送を時間的に伸張または短縮した調相データを出力手段から出力し、放送データと出力する調相データの位相が一致したとき、放送データを選択する手段とを有することを特徴とする受信端末。
【発明の詳細な説明】
【０００１】
【発明の属する技術分野】
本発明は、映像データなどの放送を送出するオンデマンド放送システムおよび受信端末に関する。
【０００２】
【従来の技術】
光ファイバなどのブロードバンドを用いたインターネットでは、映像などの大容量のデータを送出することができ、このようなブロードバンドのインターネット網を用いた放送形態が考えられる。
【０００３】
しかしながら、この放送システムの最大のネックは、送出サーバに対して視聴が集中して大量のアクセスが同時に行われた場合、送出サーバが処理できない場合があることである。たとえ大きな能力を持つサーバであっても、数万〜数十万のアクセスには耐えられず、サービス不足に陥ることがある。
【０００４】
この問題の解決の方法としてサーバが、放送データを間欠的に送出するニア  オンデマンドの方法が考えられている。ニア  オンデマンドでは、送出サーバは、たとえば数分間隔で、同一の放送データを再生するため、アクセス数にかかわらず、一定間隔で放送データを再生するので、大量のアクセスによって送出サーバが耐えられなくなるといったことが防がれる。
【０００５】
【発明が解決しようとする課題】
しかしながらこの方法は、送出間隔が分単位以上で行われるため、視聴者のアクセスから放送開始までの待ち時間が長くなり、視聴者にとって決して良いサービスとは云えない。
【０００６】
また、受信端末側において、放送を一時中断し、再開する場合にも、数分単位の待ち時間が存在し、すぐに中断した位置から視聴を再開することができないといった問題もある。
【０００７】
本発明の目的は、待ち時間を短縮することができるオンデマンド放送システムおよび受信端末を提供することである。
【０００８】
【課題を解決するための手段】
請求項１記載の本発明は、複数の受信端末と、受信端末に放送データを送出する送出サーバとから構成されるオンデマンド放送システムにおいて、
前記送出サーバは、
同一の放送データを、再生開始のタイミングに差を持たせて複数同時に再生するメインサーバと、
受信端末からアクセスがあったとき、アクセスタイミングに最も近い時間の放送データを選択する選択手段と、
受信端末のアクセスタイミングと、最も近い時間の放送データの再生開始のタイミングとの時間差を埋めるために、放送データを時間的に短縮または伸張した調相データを送出し、調相データと最も近い時間の放送データとの位相が一致したとき、最も近い時間の放送データを選択する送出制御手段とを有することを特徴とするオンデマンド放送システムである。
【０００９】
本発明に従えば、放送データが、一定の時間間隔をあけて間欠的に再生されニア  オンデマンドであるので、送出サーバの負担が少ない。送出サーバは、受信端末からアクセスがあったとき、最も近い時から再生される放送データを選択するとともに、アクセスタイミングと選択した放送データの再生開始タイミングとの差を埋める調相データを送出する。そして、調相データと選択した放送データの位相が一致したとき、調相データに引き続いて選択した放送データを送出する。このように送出制御することで、アクセスタイミングと放送データの開始タイミングとの時間差を、放送データを伸張または短縮した分で埋めることができる。これにより、ニア  オンデマンドにおいて、視聴者の待ち時間が短縮され、オンデマンド感覚で視聴することができる。
【００１０】
請求項２記載の前記放送データは、映像および音声データから成ることを特徴とする。
【００１１】
本発明に従えば、放送データは、映像と音声とからなり、映画やテレビ番組などのビデオをオンデマンドで放送することができる。
【００１２】
請求項３記載の本発明は、前記送出サーバは、最初に表示する静止画を記憶し、
前記送出制御手段は、調相データの送出のタイミングと、受信端末のアクセスタイミングとの差を埋めるために、調相データを送出する前に、前記静止画を送出することを特徴とする。
【００１３】
本発明に従えば、送出サーバは、放送データの最初の映像や、タイトル画面など、最初に表示する静止画を記憶しておく。そして、アクセスがあったとき、アクセスタイミングと調相データの開始タイミングとの差を埋めるために、前記静止画を最初に送出する。これにより、調相データ開始までの時間に、視聴者に静止画を見せて、待ち時間をさらに埋めることができる。
【００１４】
請求項４記載の本発明は、前記受信端末は、調相データを用いた放送データを受信するか、調相データを用いない放送データを受信するかを選択できる受信データ選択手段を有することを特徴とする。
【００１５】
本発明に従えば、調相データを用いて時間調整された放送を視聴するか、時間調整されない放送を視聴するかを、受信端末側で選択できるので、視聴者側で適宜選択することができる。
【００１６】
請求項５記載の本発明は、同一の放送データを、再生開始のタイミングに差を持たせて複数同時に再生する送出サーバと、送出サーバにアクセスして放送データを受信する複数の受信端末とから構成されるオンデマンド放送システムの受信端末において、
放送データを視聴者に対して出力する出力手段と、
放送データを受信する受信手段と、
視聴者の操作によって、一時中断、および再開を指示する指示手段と、
前記指示手段から一時中断指示があったとき、受信する放送を記録し、再開指示があったとき、受信する放送データを選択するとともに、記録していた放送を時間的に伸張または短縮した調相データを出力手段から出力し、放送データと出力する調相データの位相が一致したとき、放送データを選択する手段とを有することを特徴とする受信端末である。
【００１７】
ニア  オンデマンド放送を受信する受信端末において、ユーザが放送を一時中断し、再び中断した位置から視聴するとき、中断した位置に最も近い位置を再生している放送を選択して受信することになる。このとき、選択した放送の、前記中断位置が開始されるまでの間に時間があく。そこで、本発明では、受信端末側に、調相データを生成する機能を設け、再開するとき、最も近い放送データと調相データの位相が一致するとき調相データを再生することで、待ち時間なく再開できる。
【００１８】
【発明の実施の形態】
図１は、本発明の実施の一形態であるオンデマンド放送システム１の構成を示す図である。オンデマンド放送システム１は、インターネット３に接続される送出サーバ２と複数の受信端末４とから接続される。送出サーバ２は、映像と音声とからなる放送データを送出する。受信端末４が送出サーバ２にアクセスし、放送データを要求すると、送出サーバは、アクセスしてきた受信端末に向けて放送データを送出する。
【００１９】
さらに詳しく説明すると、送出サーバ２は、メインサーバ５、時間伸張調相サーバ６、時間短縮調相サーバ７、静止画サーバ８、切替部９、および制御部１０を有する。メインサーバ５は、再生開始のタイミングに一定の時間差を持たせて、同一の放送データを複数同時に再生し、送出する。以下、メインサーバ５から送出される放送データをメインストリームと呼ぶ。なお、ここでは、メインストリームは１分間隔で送出されるものとする。
【００２０】
時間伸張調相サーバ６は、放送データの初期部分を時間伸張したデータを複数有し、これらを一定時間間隔で再生して送出している。本実施形態では、映像・音声を１３／１２倍に伸張したものを、１０秒間隔で送出する。同様に、時間短縮調相サーバ７は、初期部分を１１／１２に短縮したものを、１０秒間隔で送出する。以下、これらを調相ストリームと呼ぶ。
【００２１】
静止画サーバは、放送データの最初に表示するタイトルなどの静止画を再生している。
【００２２】
制御部１０は、受信端末からアクセスがあったとき、アクセスタイミングに最も近い時に再生開始されるメインストリームを選択するとともに、最適な調相ストリームを選択する。そして、切替部９を制御してまず静止画を送出し、つぎに切替部９を切り替えて選択した調相ストリームを送出し、調相ストリームと選択したメインストリームの位相が一致、つまり調相ストリームの再生位置とメインストリームの再生位置とが一致したとき、切替部９を切り替えてメインストリームを選択する。このように送出制御することで、視聴者の待ち時間を短縮することができる。
【００２３】
図２に、アクセスタイミングで異なる調相サーバシーケンスを示す。
時間短縮調相サーバ７は、Ａ，Ｂ，Ｃの様に６０秒の内容を５５秒に短縮記録した映像・音声を再生し、時間伸張調相用サーバ６は、Ｄ，Ｅの様に６０秒の内容を６５秒に伸張記録した映像・音声を再生する。
【００２４】
時間短縮調相サーバ７、時間伸張調相用サーバ６に記録したＡ〜Ｅの素材は、視聴者からのどのタイミングでの要求にも応じる必要がある。つまり、同じ素材が途切れることなく再生されるようにする。この場合は、Ａタイプは２、Ｂタイプは４、Ｃタイプは６、Ｄタイプが５、Ｅタイプは３個の同じ素材を用意し、それぞれ順位再生することで、途切れることなく再生しつづけることができる。
【００２５】
このように構成されたオンデマンド放送システム１では、待ち時間を最大１０秒（平均５秒）にすることで視聴者の待ち感覚をなくし、ほぼ待ち時間なしのオンデマンド感覚でニア  オンデマンドの視聴が可能になる。また、追いかけ送出、追いつかれ送出の時間短縮や時間伸張での映像・音声の短縮伸張率が１／１２程度ではその違和感は少なく、簡易な実験でそのことを確認している。
【００２６】
メイン・サーバへのアクセスは分単位で行うため、２時間の映画の場合では、たとえば数十万単位のアクセスが行われても百二十の送出に集約され充分対応が可能となる。
【００２７】
次に、図３に示す調相シーケンスを参照して、制御部１０による送出制御について説明する。図３は、基準点Ｏよりｔ０時間経過後、Ｐ点で視聴者が要求した場合を示している。また、
Ｉ（秒）・・・・・・メインサーバ５の送出間隔
ｉ（秒）・・・・・・調相サーバ６，７の送出間隔
ｎ・・・・・・・・・・・・メインサーバの送出間隔Ｉ間の調相ストリーム数
Ｋ・・・・・・・・・・・・調相の増減率
ｍ・・・・・・・・・・・・メインストリームの番号
ｔ１・・・・・・・・・・Ｉ間隔内のアクセスタイミング
ｑ・・・・・・・・・・・・調相ストリームの番号
ｓ・・・・・・・・・・・・ｉ間隔内のアクセスタイミング
ｔ２・・・・・・・・・・調相開始のタイミング
Ｓ・・・・・・・・・・・・静止画の送出時間
とする。
【００２８】
メインサーバ５では、基準点ＯよりＩ（秒）間隔で、メインストリームを送出しており、メインストリームの番号は、基準点Ｏから１，２，・・・ｍ，ｍ＋１，・・・とする。同様に、調相サーバ６，７は、メインサーバの送出間隔Ｉ（秒）間に、ｉ（秒）間隔で、調相ストリームを送出しており、ｎ＝Ｉ／ｉが偶数になるようにｉを決定する。図２の例では、調相ストリームは、Ａ，Ｂ，Ｃの３本の短縮調相ストリームと、Ｄ，Ｅの２本の伸張調相ストリームとなる。
【００２９】
受信端末からのアクセスタイミングＰが、ｍストリームとｍ＋１ストリームの間のＰ点であり、ｍストリームの開始からｔ１（秒）後であるとする。制御部１０は、このＰ点に基づいて、最も近くに送出されるメインストリーム、および最適な調相ストリームを決定する。まず、ｔ１／ｉ＝ｑ、余りｓを算出し、ｑ＋１＝ｎである場合には、最も近くに送出されるメインストリームは、ｍ＋１番目のストリームであると判断し、調相ストリームを送出せず、静止画を送出後、ｍ＋１ストリームを送出する。
【００３０】
ｑの位置が、ｍストリームに近い場合、つまり、ｎ／２≧ｑ＋１の場合、最も近くに送出されるメインストリームは、ｍストリームと決定する。また、最適な調相ストリームは、ｑ番目の調相ストリームであり、この場合は、短縮調相となる。したがって、静止画送出後、短縮調相ストリームを送出してｍストリームに追いついたとき、ｍストリームに乗り換える。
【００３１】
ｑの位置が、ｍ＋１ストリームに近い場合、つまりｎ／２＜ｑ＋１の場合、最も近くに送出されるメインストリームは、ｍ＋１ストリームとなり、最適な調相ストリームは、ｑ番目の調相ストリームであり、この場合は、伸張調相となる。したがって、静止画送出後、伸張調相ストリームを送出して、ｍ＋１ストリームに追い付かれたとき、ｍ＋１ストリームに乗り換える。
【００３２】
次に、図４に示すフローチャートを参照して、制御部１０による送出制御についてさらに詳細に説明する。
【００３３】
ステップａ０において、時刻ｔ０で、受信端末からアクセスがあると、まずステップａ１で、ｔ０／Ｉ＝ｍ、余りｔ１を算出し、ステップａ２で、ｔ１／ｉ＝ｑ、余りｓを算出し、ステップａ３で、（ｑ＋１）ｉ＝ｔ２を算出し、ステップａ４で、ｉ−ｓ＝Ｓを算出する。このＳが静止画の送出時間として決定される。
【００３４】
つぎのステップａ５で、ｎ＝ｑ＋１であるか否かを判断し、ｎ＝ｑ＋１の場合には、調相ストリームを送出せず、ｍ＋１番目のメインストリームを送出するので、ステップａ６で、静止画サーバ８から静止画をＳ秒間送出し、ステップａ７で、ｍ＋１ストリームに切り替え、ステップａ８で、メインサーバ５からｍ＋１番目のメインストリームを送出する。
【００３５】
ステップａ５でｎ＝ｑ＋１でない場合は、ステップａ９に進み、ｎ／２≧ｑ＋１であるか否かを判断する。ｎ／２≧ｑ＋１である場合、ステップａ１０に進み、まずＳ時間静止画を送出し、次のステップａ１１で、ｑストリームを送出して、時間短縮調相を行う。ｑストリームの送出時間は、ｔ２／Ｋとなるので、次のステップａ１２で、ｑストリーム送出開始後からの時間が、ｔ２／Ｋに達したかを判断し、達すると、ステップａ１３に進み、ｍストリームに切り替え、ステップａ８で、メインストリームを送出する。
【００３６】
ステップａ９でｎ／２≧ｑ＋１でない場合は、ステップａ１４に進み、ｎ／２＜ｑ＋１であるか否かを判断する。ｎ／２＜ｑ＋１である場合、ステップａ１５に進み、まずＳ時間静止画を送出し、次のステップａ１６で、ｑストリームを送出して、時間伸張調相を行う。ｑストリームの送出時間は、（Ｉ−ｔ２）／Ｋとなるので、次のステップａ１７で、ｑストリーム送出開始後からの時間が、（Ｉ−ｔ２）／Ｋに達したかを判断し、達すると、ステップａ７に進み、ｍ＋１ストリームに切り替え、ステップａ８で、メインストリームを送出する。
このようにして、待ち時間の短縮を行うことが可能となる。
【００３７】
このような待ち時間短縮の調相視聴方法は、あくまで視聴者の選択にまかせるべきである。したがって、たとえば図５に示すような「再生モードの選択」画面をあらかじめ視聴者に送り、サーバの再生タイミングまで待つ「ノーマル再生モード」か、サーバの再生に調相しながら見る「調相モード」かを視聴者に選択させるようにする。
【００３８】
図６は、本発明の受信端末４の実施の一形態を示す図である。ニア  オンデマンド放送において、視聴者が、視聴を一時中断したのち再開する場合には、中断した位置に最も近い位置を再生しているストリームを選択することになるが、この場合には、中断した位置が開始されるまで待たなければならない。そこで、本実施形態の受信端末４では、前述した調相再生と同様の機能を受信端末にも持たせ、中断を再開するときに、待つことなく再開する継続視聴ができるように構成したものである。
【００３９】
受信端末４は、受信部２１、表示部２２、第１切替部２３、第２切替部２４、指示部２５、制御部２６および記録調相生成部２７を有する。受信部２１は、回線に接続され、ニア  オンデマンド放送を受信する。第１切替部２３は、受信部２１と記録部２７と第２切替部２４に接続され、受信したニア  オンデマンド放送を第２切替部２４か記録調相生成部２７かに切り替える。第２切替部２４は、記録部２７と第１切替部２３と表示部２２に接続され、第１切替部２３からのニア  オンデマンド放送か、記録調相生成部２７からの再生放送を表示部２２に出力して表示させる。記録調相生成部２７は、ハード・ディスクなどの記録装置を有し、受信部２１で受信した放送を録画しながら調相ストリームを生成する機能を有する。指示部２５は、視聴者から操作され、ニア  オンデマンド放送の受信、中断、再生が指示される。制御部２６は、指示部２５からの操作に基づいて、第１および第２切替部２３，２４、記録調相生成部２７を制御し、さらに中断した位置に最も近い位置を放送しているニア  オンデマンドのストリーム選択、および再開した位置に基づいて、時簡短縮調相の生成か、時間伸張調相の生成かの判断を行う。
【００４０】
通常の放送受信では、第１および第２切替部２３，２４はニア  オンデマンドに切替えられており、受信部２１で受信したニア  オンデマンド放送を表示部２２から表示する。視聴者から指示部２５を介して放送の中断指示があったとき、制御部２６は、第１切替部２３を記録調相生成部２７に切り替え、これに連動して第２切替部２４を中断に切り替える。このように切り換わることによって、記録部２７は、中断後の放送を録画する。
【００４１】
指示部２５を介して視聴者から再開指示があったとき、制御部２６は、まず、中断した位置に最も近い位置を放送しているニア  オンデマンドのストリーム選択を行い、この選択したストリームと再開タイミングとから、時間短縮調相か、時間伸張調相かのいずれかを記録調相生成部２７に指示する。そして、選択したストリームを送出サーバに要求するとともに、第２切替部２４を再生側に切り替える。これによって、中断した位置の続きが調相再生される。そして、調相再生されるストリームの再生位置が、要求したストリームの再生位置に一致したとき、第１および第２切替部２３，２４をニア  オンデマンド側に切替える。これによって、ニア  オンデマンドのストリームが表示される。このようにして、中断に続く再開も待ち時間なく継続した視聴が可能になる。
【００４２】
つぎに、図７に示すシーケンス図および図８に示すフローチャートを参照して、受信端末４の制御動作についてさらに詳細に説明する。図７のシーケンスでは、Ｎ番目のストリームの視聴中に×点で視聴を中断し、Ｏ点で再開したものとする。
【００４３】
ここで、
Ｔ１（秒）・・・・中断タイミング
Ｔ２（秒）・・・・再開タイミング
Ｉ（秒）・・・・・・ニア  オンデマンドストリーム間隔
Ｎ・・・・・・・・・・・・視聴を中断したストリーム番号
Ｑ・・・・・・・・・・・・中断していたストリーム数
Ｓ・・・・・・・・・・・・調相を必要とする時間
Ｋ・・・・・・・・・・・・調相の増減率
とする。
【００４４】
まず、ステップｂ０で視聴中断すると、ステップｂ１で、中断タイミングＴ１をメモリに格納し、ステップｂ２で、記録調相生成部２７で記録を開始する。
【００４５】
つぎのステップｂ３で視聴が再開されると、ステップｂ４で再開タイミングＴ２をメモリに格納し、ステップｂ５で、（Ｔ２−Ｔ１）／Ｉの商Ｑ、および余りＳを算出する。そして、このＳの値に応じて場合分けする。つまり、Ｓ＝０の場合には、ちょうどＮ＋Ｑ番目のストリームが中断位置にあたるので、ただちにニア  オンデマンドで視聴再開する。
【００４６】
Ｓ＞Ｉ／２の場合には、次のＮ＋Ｑ＋１番目のストリームが最も近いので、記録したものを伸張再生し、伸張再生にＮ＋Ｑ＋１番目のストリームが追いついて位相が一致したとき、これに乗り換える。
【００４７】
Ｓ≦Ｉ／２の場合には、直前のＮ＋Ｑ番目のストリームが最も近いので、記録したものを短縮再生し、Ｎ＋Ｑ番目のストリームに追いついて位相が一致したとき、これに乗り換える。
【００４８】
したがって、ステップｂ６でＳ＝０と判断された場合には、ステップｂ７に進み、サーバにＮ＋Ｑ番目のストリームを要求し、ステップｂ８で直ちにニア  オンデマンドで視聴を再開する。
【００４９】
ステップｂ６でＳ＝０でない場合には、ステップｂ９に進み、Ｓ＞Ｉ／２かを判断し、Ｓ＞Ｉ／２の場合には、ステップｂ１０に進み、ＳにＩ−Ｓを代入し、ステップｂ１１で、記録調相生成部２７で伸張生成を行ない、伸張ストリームを再生する。つぎのステップｂ１２では、伸張ストリームの再生開始からの時間が、Ｓ／Ｋに達したか否かを判断し、達するとステップｂ１３に進んでサーバにＮ＋Ｑ＋１番目のストリームを要求し、ステップｂ８でニア  オンデマンドで視聴を再開する。
【００５０】
ステップｂ９でＳ＞Ｉ／２でない場合は、ステップｂ１４でＳ≦Ｉ／２であるかを判断し、Ｓ≦Ｉ／２である場合には、ステップｂ１５に進み、短縮調相を生成し、短縮ストリームを再生する。つぎのステップｂ１６では、短縮ストリームを再生してからの時間が、Ｓ／Ｋに達したか否かを判断し、達するとステップｂ７でサーバにＮ＋Ｑ番目のストリームを要求し、ステップｂ８で、ニア  オンデマンドで視聴を再開する。
【００５１】
このように制御することで、一時中断し、再開するときに待ち時間なく視聴を再開することができる。また、記録調相生成部２７で記録する最大記録時間は、ニア  オンデマンドの送出間隔に応じた最大記録時間が限定されるため、記録装置の記録容量も小さくてよい。この場合の最大記録時間は、Ｉ／（２×Ｋ）（秒）となる。
【００５２】
以上のような調相制御を、ニア  オンデマンド放送に適用すると、サーバ機能破綻のないニア  オンデマンドでありながら、待ち時間のないオンデマンド感覚で視聴が可能となり、また、受信端末側の一時中断後の再開でも、待ち時間がなくなる。昨今云われるブロードバンド放送の最大のメリットは、この様な時間フリーな視聴方法であると考えられ、光回線などのインフラ整備と、その回線の常時接続を可能とする固定料金制度では、このようなオンライン放送の視聴方法が充分考えられる。
【００５３】
本発明の放送システムは、インターネット網を用いたものに限らず、たとえばホテルなどで、ＬＡＮに適用し、オン  デマンドでビデオを送出するシステムに適用してもよい。また、有線での放送に限らず、無線電波を用いた放送に適用することも可能である。
【００５４】
上述した各実施形態では、放送は映像と音声とからなるものとして説明したが、本発明はこれに限らず、映像のみ、または音声のみであってもよい。
【００５５】
また、調相の増減率は本実施形態では１／１２としたが、視聴者にわからない程度の増減率であればこれに限らず、たとえば１／１０〜１／１３程度の範囲内に選ばれる。
【００５６】
【発明の効果】
以上のように本発明によれば、ニア  オンデマンドにおいて、視聴者の待ち時間が短縮され、オンデマンド感覚で視聴することができる。
【００５７】
また本発明によれば、放送データは、映像と音声とからなり、たとえば映画やテレビ番組などのビデオをオンデマンドで放送することができる。
【００５８】
また本発明によれば、調相データ開始までの時間に、視聴者に静止画を見せて、待ち時間をさらに埋めることができる。
【００５９】
また本発明によれば、調相データを用いて時間調整された放送を視聴するか、時間調整されない放送を視聴するかを、受信端末側で選択でき、視聴者側で適宜選択することができる。
【００６０】
また本発明によれば、受信端末側で放送を一時中断し、再開するときに、待ち時間なく再開することができる。
【図面の簡単な説明】
【図１】本発明のオンデマンド放送システムの構成を示す図である。
【図２】送出サーバ２の調相シーケンスを示す図である。
【図３】調相シーケンスをさらに詳細に示す図である。
【図４】制御部１０の制御動作を示すフローチャートである。
【図５】再生モードの選択画面を示す図である。
【図６】受信端末２の構成を示すブロック図である。
【図７】受信端末４の継続視聴シーケンスを示す図である。
【図８】制御部２５による継続視聴のフローチャートである。
【符号の説明】
１  オンデマンド放送システム
２  送出サーバ
４  受信端末
５  メインサーバ
１０，２６  制御部
【図１】
0003553900.tif 000002
【図２】
0003553900.tif 000003
【図３】
0003553900.tif 000004
【図４】
0003553900.tif 000005
【図５】
0003553900.tif 000006
【図６】
0003553900.tif 000007
【図７】
0003553900.tif 000008
【図８】
0003553900.tif 000009